(57)【要約】【課題】メンテナンス用の履歴情報を着脱可能な記憶媒体に記憶可能な監視カメラシステムを提供する。【解決手段】監視カメラシステム１は、カメラ２から出力された画像データをデジタル画像データで記録媒体に記憶させる画像データ記憶部１５および記録媒体に記憶された画像データを映像としてモニター４に表示させる制御部１４を有してなる制御装置５と、制御装置５の操作および動作の履歴を保持する履歴保持装置６と、履歴保持装置６に保持されている前記履歴のうち、指定した履歴を着脱可能な記録媒体１６に記憶可能に構成された記憶装置７とを具備する。【選択図】図１
2004214732.tif 000002
【特許請求の範囲】
【請求項１】
撮像対象を撮像して画像データを出力するカメラと；
映像を表示するモニターと；
記録媒体を備え、カメラから出力された画像データをデジタル画像データで記録媒体に記憶させる画像データ記憶部および記録媒体に記憶された画像データを映像としてモニターに表示させる制御部を有してなる制御装置と；
制御装置の操作および動作の履歴を保持する履歴保持装置と；
履歴保持装置に保持されている前記履歴のうち、指定した履歴を着脱可能な記録媒体に記憶可能に構成された記憶装置と；
を具備していることを特徴とする監視カメラシステム。
【発明の詳細な説明】
【０００１】
【発明の属する技術分野】本発明は、カメラで撮像された映像を記録および再生可能な監視カメラシステムに関する。
【０００２】
【従来の技術】この種の監視カメラシステムが故障すると、作業者が現場まで出向いて修理している。しかし、コンビニエンスストアなどにおいて、夜間に故障が発生すると、迅速に対応できないことがあった。そこで、故障の発生を抑制させるために定期的にメンテナンスが行われるようになっている。
【０００３】
従来、故障の修理またはメンテナンスを行うための履歴等は、内部記憶装置に記憶され、修理またはメンテナンス時にモニターやディスプレイに表示させて故障等の修理または予知や診断を行っていた。例えば、監視カメラの動作履歴を不揮発性メモリに記録し、修理のための重要な情報としているものがある（特許文献１参照。）。
【０００４】
【特許文献１】特開２００１−１００２８１号公報（第５−６頁、第１図）
【０００５】
【発明が解決しようとする課題】しかしながら、特許文献１は、監視カメラシステムが設置されている現場に出向き、現場で作業を行う必要があるという欠点を有する。すなわち、メンテナンス用の履歴等を記憶媒体に記憶させて送付することができれば、監視カメラシステムの診断や故障の予知をメンテナンス会社側で行うことができ、故障等のために不所望の夜間等に現場に出向くことが回避され、省力化が可能である。
【０００６】
本発明は、メンテナンス用の履歴情報を着脱可能な記憶媒体に記憶可能な監視カメラシステムを提供することを目的とする。
【０００７】
【課題を解決するための手段】請求項１に記載の監視カメラシステムの発明は、撮像対象を撮像して画像データを出力するカメラと；映像を表示するモニターと；記録媒体を備え、カメラから出力された画像データをデジタル画像データで記録媒体に記憶させる画像データ記憶部および記録媒体に記憶された画像データを映像としてモニターに表示させる制御部を有してなる制御装置と；制御装置の操作および動作の履歴を保持する履歴保持装置と；履歴保持装置に保持されている前記履歴のうち、指定した履歴を着脱可能な記録媒体に記憶可能に構成された記憶装置と；を具備していることを特徴とする。
【０００８】
着脱可能な記録媒体は、フロッピーディスク（登録商標）、ビデオテープ、磁気ディスクおよび光ディスクなどの他、メモリースティック、コンパクトフラッシュメモリ（登録商標）などを許容する。
【０００９】
本発明によれば、制御装置の操作および動作の履歴のうち、指定した履歴を着脱可能な記録媒体に記憶させることにより、この記録媒体を用いて監視カメラシステムが設置されている以外の場所で、定期的あるいは任意の時期において、監視カメラシステムのメンテナンスの必要の有無が判断される。
【００１０】
【発明の実施の形態】以下、本発明の一実施の形態について、図面を参照して説明する。
【００１１】
図１は、本発明の一実施の形態を示す監視カメラシステムの構成ブロック図である。監視カメラシステム１は、カメラ２、映像記録装置３およびモニター４を有して構成され、映像記録装置３内に制御装置５、履歴保持装置６および記憶装置７が設けられている。
【００１２】
カメラ２は、撮像対象を撮像して画像データを映像記録装置３に出力するように構成されている。この画像データは、アナログ画像データである。なお、カメラ２は、複数個であって、それぞれの画像データが映像記録装置３に出力されるものであってもよい。
【００１３】
映像記録装置３は、画像データ入力部８、アナログ／デジタル（Ａ／Ｄ）変換部９、画像データ圧縮部１０、制御装置５、履歴保持装置６、記憶装置７、画像データ伸長部１１、デジタル／アナログ（Ｄ／Ａ）変換部１２および画像データ出力部１３を有して構成されている。
【００１４】
画像データ入力部８は、カメラ２から出力されたアナログ画像データを入力し、当該アナログ画像データをＡ／Ｄ変換部９に送出し、Ａ／Ｄ変換部９は、アナログ画像データをデジタル画像データに変換して画像データ圧縮部１０に送出するように構成されている。そして、画像データ圧縮部１０は、デジタル画像データを予め設定した圧縮方式および圧縮率で圧縮して制御装置５の制御部１４に送出するように構成されている。
【００１５】
制御部１４は、ＣＰＵ、ＲＯＭおよびＲＡＭなどを有して構成され、制御装置５への操作入力などに応じて映像記録装置３の各部８〜１５を制御する。
【００１６】
画像データ記憶部１５は、デジタル画像データを記憶する図示しない記憶媒体を備えており、画像データ圧縮部１０より圧縮された画像データを記憶媒体に記憶（録画）するように構成されている。すなわち、カメラ２から出力された画像データをデジタル画像データで記録媒体に記憶させる。
【００１７】
履歴保持装置６は、制御装置５の操作および動作の履歴、この操作および動作により発生したエラーやアラームの履歴など、メンテナンスおよび修理に必要な履歴情報を保持（記憶）するように構成されている。
【００１８】
記憶装置７は、手動操作により制御装置５の制御部１４を制御することによって、履歴保持装置６に保持されている履歴を読み出し、その履歴のうち、手動操作により指定した履歴を記録媒体１６に記憶（記録）させるように構成されている。
【００１９】
記録媒体１６は、記憶装置７に着脱可能であり、郵送や宅配などにより容易かつ安価にメンテナンス作業者（メンテナンス会社）に送付できるものであり、また、記憶されている内容がインターネットなどの公衆回線を利用して送付できるものであり、例えばメモリースティック（登録商標）やコンパクトフラッシュメモリ（登録商標）などから成っている。
【００２０】
画像データ伸長部１１は、制御部１４を介して画像データ記憶部１５に記憶された画像データを読み出し、その画像データを伸長させ、Ｄ／Ａ変換部１２に送出するように構成されている。そして、Ｄ／Ａ変換部１２は、伸長されたデジタル画像データをアナログ画像データに変換して画像データ出力部１３に送出するように構成されている。
【００２１】
画像データ出力部１３は、アナログ画像データを映像として少なくとも１つのモニター４の画面４ａに表示させるように構成されている。すなわち、制御部１４は、画像データ記憶部１５の記録媒体に記憶されているデジタル画像データを読み出し、当該画像データを画像データ伸長部１１により伸長させ、Ｄ／Ａ変換部１２によりアナログ画像データに変換させて映像としてモニター４に表示させるように制御する。
【００２２】
モニター４は、映像記録装置３の画像データ出力部１３を介して入力した画像データに対応する映像を表示するように構成されている。
【００２３】
上述のように構成された監視カメラシステム１において、監視カメラシステム１の使用者は、定期的に、または任意の時期に、履歴保持装置６に保持されている履歴のうち、メンテナンス用として予め指定した履歴を記録媒体１６に記憶させる。そして、この記録媒体１６をメンテナンス会社（メンテナンス作業者）に郵送や宅配などにより送付する。
【００２４】
メンテナンス作業者は、記録媒体１６に記憶されているメンテナンス用の履歴情報に基づいて監視カメラシステム１の診断を行い、監視カメラシステム１が正常に動作しているかどうかの判断や故障または寿命などの予知を行う。例えば、コントローラ３の定電圧電源の累積使用時間をチェックすることにより、定電圧電源の寿命が判断される。そして、寿命となる前に現場に出向いて、定電圧電源を交換することができる。
【００２５】
また、ハードディスクまたは記録媒体に対するアラーム履歴の解析により、ハードディスクまたは記録媒体の故障または故障の前兆が判断される。すなわち、画像データ記憶部１５は、ハードディスクまたは記録媒体に画像データを記憶（書き込み）させるときに、チェックデータや検証用データにより、正常に画像データが書き込みされているか否かを判断し、正常に書き込みがされていないと、アラームを発生させる。このアラームは、制御部１４の動作によりアラーム履歴として履歴保持装置６に記憶される。このアラームの発生頻度が多い、あるいは発生回数が所定回数以上であると、ハードディスクまたは記録媒体が故障の前兆であるとして、ハードディスクまたは記録媒体の交換などのメンテナンスが必要であると判断するものである。
【００２６】
すなわち、監視カメラシステム１の動作の不具合や故障または故障の前兆が発見されると、メンテナンス作業者は、前もって、昼間などにおける所望の時間に監視カメラシステム１の設置場所に出向き、監視カメラシステム１の修理などを行うことができる。一方、監視カメラシステム１の診断の結果、監視カメラシステム１が正常に動作しており、故障や故障の前兆が見出せないと判断されると、監視カメラシステム１の使用者は、引き続き、監視カメラシステム１を信頼して使用することができる。
【００２７】
上述したように、監視カメラシステム１のメンテナンス作業が必要であるか否かの検討が記録媒体１６に記憶されたメンテナンス用の履歴情報に基づいて行われるので、メンテナンス作業者が監視カメラシステム１の設置場所に不所望に出向くことが回避され、省力化が図られる。
【００２８】
なお、監視カメラシステム１において、履歴保持装置６または記憶装置７は、映像記録装置３に設けなく、制御装置５と別体となるようにしてもよい。また、カメラ２がデジタル画像データを出力するものであれば、映像記録装置３のＡ／Ｄ変換部９は不要であり、モニター４がデジタル画像データを入力するものであれば、Ｄ／Ａ変換部１２は不要である。
【００２９】
【発明の効果】請求項１の発明によれば、制御装置の操作および動作の履歴のうち、指定した履歴を着脱可能な記録媒体に記憶させ、この記録媒体を用いて監視カメラシステムが設置されている以外の場所で、定期的あるいは任意の時期において、監視カメラシステムのメンテナンスの必要を判断することができる。したがって、メンテナンス作業者は、監視カメラシステムが設置されている場所に不所望に出向く必要がないので、省力化を図ることができる。
【図面の簡単な説明】
【図１】本発明の一実施形態を示す監視カメラシステムの構成ブロック図。
【符号の説明】
１…監視カメラシステム、２…カメラ、４…モニター、５…制御装置、６…履歴保持装置、７…記憶装置
【図１】
2004214732.tif 000003